(57)【要約】【課題】画像読取装置には、原稿の端部の位置を読取画像から検出し、読み取り画像における原稿領域を決定するものがあるが、この場合、色味かかった媒体など、陰と原稿媒体の濃度差が大きくならない場合、媒体のエッジ検出の精度が低くなる課題があった。【解決手段】原稿の画像を読み取る画像読取装置１であり、原稿の背景となる押し当て面３２ａを有す原稿押圧板３２と、押し当て面３２ａ及び押し当て面３２ａを背景とする原稿に光を照射し、その反射光を受光して電圧に光電変換するＣＩＳ２１と、ＣＩＳ２１を制御し、光電変換によって得た受光電圧に基づいて原稿端部の位置を検出する端部検出手段（１０２，１０３）とを有し、ＣＩＳ２１は、原稿に複数色の光を照射可能に構成され、端部検出手段（１０２，１０３）は、原稿端部の位置を検出する際に、複数色の光毎の受光電圧レベルを取得可能に構成されている。【選択図】図３
2019024168.tif 000002
【特許請求の範囲】
【請求項１】
原稿載置ガラスに載置された原稿の画像を読み取る画像読取装置において、
前記原稿の背景となる背景面を有する背景板と、
前記背景面及び前記背景面を背景とする原稿に光を照射し、その反射光を受光して電圧に光電変換する画像読み取り手段と、
前記画像読み取り手段を制御し、前記光電変換によって得た受光電圧に基づいて前記原稿端部の位置を検出する端部検出手段と
を有し、
前記画像読み取り手段は、前記原稿に複数色の光を照射可能に構成され、
前記端部検出手段は、前記原稿端部の位置を検出する際に、前記複数色の光毎の受光電圧レベルを取得可能に構成された
ことを特徴とする画像読取装置。
【請求項２】
前記端部検出手段は、主走査方向の１ライン上の画素毎に検出した前記受光電圧のレベル変化に基づいて前記原稿端部の位置検出を行うことを特徴とする請求項１記載の画像読取装置。
【請求項３】
前記端部検出手段は、副走査方向における複数ラインにおいて同様の位置検出を行い、所定数のラインにおいて、主走査方向における同位置で前記原稿端部が検出された場合、同位置を原稿端部の位置として確定する
ことを特徴とする請求項２記載の画像読取装置。
【請求項４】
前記端部検出手段は、主走査方向の１ラインの画素毎に検出した前記受光電圧の検出データに対して、濃度変化の大きい所を強調するフィルタ処理を行ない、前記原稿端部の位置検出を行うことを特徴とする請求項２又は３に記載の画像読取装置。
【請求項５】
前記複数色の光は、レッド、グリーン、ブルーの単独の色、及びレッド、グリーン、ブルーの各色の組み合わせによって生じる色の光であることを特徴とする請求項１から４までの何れか１項に記載の画像読取装置。
【発明の詳細な説明】
【技術分野】
【０００１】
本発明は、原稿の画像を読み取る画像読取装置に関し、特に原稿エッジを検出する画像読取装置に関する。
【背景技術】
【０００２】
従来の画像読取装置には、原稿の端部の位置を読取画像から検出し、その結果から読み取り画像における原稿領域を決定するものがあった。原稿の端部の位置の検出は、原稿面に向けて光を照射し、原稿と背景の境界部に、光源に対向する位置に発生する陰を読み取り、読み取って得られた画像データを２値化後、検出された陰の位置を原稿エッジとして検知していた（例えば、特許文献１参照）。
【先行技術文献】
【特許文献】
【０００３】
【特許文献１】特開２００５−５７８１３号公報（第７頁、図７）
【発明の概要】
【発明が解決しようとする課題】
【０００４】
しかしながら、従来の装置では、例えば、再生紙など、白色度が高くない媒体や、色味かかった媒体など、原稿の媒体の濃度自体が原稿の端部にできる陰の濃度に近く、陰と原稿媒体の濃度差が大きくならない場合、２値化後の画像からエッジが検知できないことがあり、原稿の媒体によりエッジ検知の精度が低くなってしまうという課題があった。
【課題を解決するための手段】
【０００５】
本発明は、原稿載置ガラスに載置された原稿の画像を読み取る画像読取装置に関し、
前記原稿の背景となる背景面を有する背景板と、前記背景面及び前記背景面を背景とする原稿に光を照射し、その反射光を受光して電圧に光電変換する画像読み取り手段と、前記画像読み取り手段を制御し、前記光電変換によって得た受光電圧に基づいて前記原稿端部の位置を検出する端部検出手段とを有し、
前記画像読み取り手段は、前記原稿に複数色の光を照射可能に構成され、前記端部検出手段は、前記原稿端部の位置を検出する際に、前記複数色の光毎の受光電圧レベルを取得可能に構成されたことを特徴とする。
【発明の効果】
【０００６】
本発明によれば、原稿端部の位置を検出する際に、複数色の光毎の受光電圧レベルを取得可能に構成されているため、原稿の色や濃度によらず原稿の端部を検出することが可能となる。
【図面の簡単な説明】
【０００７】
【図１】本発明による実施の形態１の画像読取装置１の要部を示す外観斜視図である。
【図２】画像読取装置内部の要部構成を示す要部構成図である。
【図３】画像読取装置の制御系の概略ブロック図である。
【図４】Ａ４原稿を載置したプラテンガラスを上方からみた配置図である。
【図５】画像読取装置の読み取り動作の説明に供する動作説明図である。
【図６】読み取られた画像を模式的に示す読取画像図で、原稿と原稿押圧板の押し当て面との境界部の読み取り画像を部分的に拡大して示している。
【図７】画像データとして取り込んだ複数のラインの何れかのラインを例にして示すもので、フィルタ処理の説明に供する図である。
【図８】３色同時点灯時の濃度変化とフィルタ処理後の値を示すグラフであり、横軸に、画素位置をとり、縦軸に、濃度値とフィルタ処理後の値をとっている。
【図９】レッド点灯時の濃度変化とフィルタ処理後の値を示すグラフであり、横軸に、画素位置をとり、縦軸に、濃度値とフィルタ処理後の値をとっている。
【図１０】グリーン点灯時の濃度変化とフィルタ処理後の値を示すグラフであり、横軸に、画素位置をとり、縦軸に、濃度値とフィルタ処理後の値をとっている。
【図１１】ブルー点灯時の濃度変化とフィルタ処理後の値を示すグラフであり、横軸に、画素位置をとり、縦軸に、濃度値とフィルタ処理後の値をとっている。
【発明を実施するための形態】
【０００８】
実施の形態１．
図１は、本発明による実施の形態１の画像読取装置１の外観斜視図であり、図２は、画像読取装置１内部の要部構成を示す要部構成図である。
【０００９】
画像読取装置１は、Ａ３サイズの読取領域を有すように構成された画像読取装置であって、フラットベッドユニット１１とフラットベッドユニット１１に回動自在に保持された原稿押えカバー３１を備える。
【００１０】
フラットベッドユニット１１は、その上部に、読み取りする原稿４０を載置する原稿載置ガラスとしてのプラテンガラス１２、原稿押えカバー３１が閉じられたことを検知する閉センサスイッチ２５を配置し、原稿押えカバー３１は、プラテンガラス１２に載置された原稿４０をプラテンガラス１２に押し当て、原稿背景となる背景面としての白色の押し当て面３２ａを有する背景板としての原稿押圧板３２を保持している。
【００１１】
フラットベッドユニット１１は、その内部に、プラテンガラス１２を透過して原稿４０に赤外線を照射してその反射光量を検出することにより、その上方において、プラテンガラス１２に載置された原稿４０があるか否かを判別するための第１反射センサ１３及び第２反射センサ１４を配置し、載置された原稿の長さ判定を可能にしている。このため、第１反射センサ１３は、副走査方向におけるプラテンガラス１２の左側端部に相当する原稿突き当て位置Ｐ１から２９０ｍｍの位置に配置され、第２反射センサ１４は、同じく原稿突き当て位置Ｐ１から３２５ｍｍの位置に配置されている。
【００１２】
更にフラットベッドユニット１１の内部には、原稿４０に光を当て、原稿４０から反射してきた光を、その光の強さに応じた電圧値の電圧に光電変換する複数の光電変換素子で構成されたセンサＩＣチップ２２を１列にならべて１ラインの走査方向列（主走査方向）を構成する密着型イメージセンサ（Ｃｏｎｔａｃｔ  Ｉｍａｇｅ  Ｓｅｎｓｏｒ：以下ＣＩＳと称す場合がある）２１、画像読み取り手段としてのＣＩＳ２１の出力基準となる最大白出力電圧を取得する際に読み取らせる基準白色板１８、ＣＩＳ２１を副走査方向にガイドするガイドシャフト１７、モータ１５、モータ１５によって移動駆動されて、取り付けられたＣＩＳ２１を副走査方向に移動させる為のベルト１６などが配設されている。尚、センサＩＣチップ２２の個々の光電変換素子が検出する画像単位を、以後画素と称す場合がある。
【００１３】
ＣＩＳ２１は、光源素子であるレッドＬＥＤ２６、グリーンＬＥＤ２７、ブルーＬＥＤ２８の各ＬＥＤ（図３参照）、各ＬＥＤの光を原稿面に拡散させる導光体２３、原稿から反射してきた光をセンサＩＣチップ２２に上に集光させるロッドレンズアレイ２４とで構成されている。
【００１４】
画像読取装置１は、上位装置２００に接続されており、ユーザーが、読み取りを行う原稿４０を、プラテンガラス１２の、左側端部に相当する原稿突き当て位置Ｐ１及び奥側端部に突き当てて置き、原稿押えカバー３１を閉じた後、上位装置２００から読み取り動作指示を受けて読み取りを起動し、読み取った原稿画像データを上位装置２００に送信するよう構成されている。尚、原稿突き当て位置Ｐ１と奥側端部は、プラテンガラス１２の載置面に対する段部を備え、原稿４０端部が突き当たるように形成されている。以後、原稿突き当て位置Ｐ１と奥側端部が交わる角部を、突き当て角部２９と称す場合がある。
【００１５】
図３は、画像読取装置１の制御系の概略ブロック図である。制御ブロック１００には、プログラムを格納する不揮発なメモリであるＲＯＭ（Ｒｅａｄ  Ｏｎｌｙ  Ｍｅｍｏｒｙ）１０５、プログラム実行時の一時データの格納や、画像データを格納する為のＲＡＭ（Ｒａｎｄｏｍ  Ａｃｃｅｓｓ  Ｍｅｍｏｒｙ）１０６、ＲＯＭ１０５に格納されたプログラムを読み出して実行し、全体の動作を制御する中央演算処理装置１０１、ＣＩＳ２１の駆動信号、及びモータ１５の駆動信号の生成とＣＩＳ２１から取り出された電圧信号をデジタルに変換し処理する読取制御・入力信号処理部１０２、画素毎に白基準（後述する明側の補正データ）と黒基準（後述する黒側の補正データ）データを格納し、入力データを白基準と黒基準データで正規化するシェーディング補正画像処理や、フィルタ処理、画像データからのエッジ検出処理、その他の補正処理を行う画像処理部１０３、及び上位装置などから読取要求を受け付けると共に、処理された画像を送出する際の外部入出力インターフェイス１０４が備えられている。尚、読取制御・入力信号処理部１０２及び画像処理部１０３が端部検出手段に相当する。
【００１６】
モータ１５は、読取制御・入力信号処理部１０２に駆動されて、前記したようにＣＩＳ２１を副走査方向に移動し、閉センサスイッチ２５は、原稿押えカバー３１の開閉を検知し、その検知信号を中央演算処理装置１０１に送信し、第１反射センサ１３及び第２反射センサ１４は、それぞれ原稿検出信号を同じく中央演算処理装置１０１に送信し、ＣＩＳ２１は、読取制御・入力信号処理部１０２から駆動信号を受けて、原稿に光りをあてて反射した光を光電変換して取り出した電圧信号を読取制御・入力信号処理部１０２に送信する。
【００１７】
読取制御・入力信号処理部１０２は、画像処理部１０３に接続され、読取制御・入力信号処理部１０２、画像処理部１０３、中央演算処理装置１０１、ＲＯＭ１０５、ＲＡＭ１０６は、バス信号にて相互に接続されている。
【００１８】
ＣＩＳ２１は、光源としての、レッドＬＥＤ２６、グリーンＬＥＤ２７、ブルーＬＥＤ２８の各ＬＥＤと、受光した光を光電変換して時系列に電圧として取り出す光電変換素子が１列に複数個並べられたセンサＩＣチップ２２とで構成され、原稿から反射した光を、光電変換素子毎に、受光した光量に応じた電圧値の電圧に光電変換する。
【００１９】
読取制御・入力信号処理部１０２は、各光電変換素子が光電変換した電圧をアナログシフトレジスタ状に時系列に取り出す。即ち、原稿の濃淡を画素に分解して光電変換素子毎の電圧値として取り出し、デジタル値に変換して画像データとして読み出す。データの読み出しは１列単位（以後、ラインと称す場合がある）に行われ、原稿の副走査方向へＣＩＳ２１の位置をずらしながら読み取ることで、原稿全体の画像を取得する。
【００２０】
また、カラー画像の取得は、レッドＬＥＤ２６、グリーンＬＥＤ２７、ブルーＬＥＤ２８の各ＬＥＤを１ライン毎に順次点灯させて各色での画像データを読み取って行い、モノクロ画像の取得は、３色のＬＥＤを同時に点灯させるか、何れか１色のＬＥＤのみを点灯させて読み取って行い、原稿全体の画像を取得する。
【００２１】
以上の構成において、画像読取装置１による、原稿エッジの読み取り動作について以下に説明する。
【００２２】
フラットベッドユニット１１内（図２参照）のＣＩＳ２１は、画像読取装置１への電源投入後の初期段階において、基準白色板１８直下の待機位置で待機している。画像読取装置１による読み取り動作を開始するためにユーザーが原稿押えカバー３１を開くと、閉センサスイッチ２５がオフとなってこれを感知し、原稿押えカバー３１が開状態であることを中央演算処理装置１０１に通知する。
【００２３】
中央演算処理装置１０１は、原稿押えカバー３１が開いたことを検知すると、第１反射センサ１３と第２反射センサ１４を駆動し、プラテンガラス１２上に原稿が置かれたか否かの検知を継続する。同時に、中央演算処理装置１０１は、読取制御・入力信号処理部１０２に対し、シェーディング処理のための補正データ取得の実行を指示し、その後、原稿の主走査方向の幅を検出する検出始動位置まで、ＣＩＳ２１を移動するよう指示する。
【００２４】
読取制御・入力信号処理部１０２は、中央演算処理装置１０１からシェーディング処理（補正データの取得）の実行指示を受けると、基準白色板１８直下の待機位置にいるＣＩＳ２１を駆動して光電変換動作を起動し、１ラインの画素に分解して得られた画素毎の電圧値をアナログ／デジタル変換して画像データとして蓄積する。所定のライン数分の画像データを蓄積すると、画素毎に平均値を取って暗側の補正データとして蓄積する。尚、この暗側の補正データの取得は、全てのＬＥＤを消灯状態にして行われる。
【００２５】
次に、レッドＬＥＤ２６、グリーンＬＥＤ２７、及びブルーＬＥＤ２８をすべて点灯させ、所定のライン数分の画像データの取得を行い、画素毎に平均値をとって同時点灯時の明側の補正データとして蓄積し、次に、レッドＬＥＤ２６、グリーンＬＥＤ２７、及びブルーＬＥＤ２８を順次点灯させ、それぞれのＬＥＤの発光時に所定のライン数分の画像データの取得を行い、同様に画素毎に平均値をとってそれぞれの色毎の明側の補正データとして蓄積する。
【００２６】
尚、シェーディング補正処理は、原稿領域内の通常読取動作時、及びエッジ検出時に行われ、１ラインの画像データが入力されると入力された画素毎に
（入力データ−暗側補正データ）／（明側補正データ−暗側補正データ）×２５５
の演算を行い、入力データの正規化補正を行うものである。
【００２７】
次に、読取制御・入力信号処理部１０２は、各ＬＥＤを消灯させたままモータ１５を回転させ、ＣＩＳ２１を待機位置から副走査方向へ動かし、原稿の読み取り領域内へ移動させる。ここでは、原稿左端に相当する原稿突き当て位置Ｐ１から副走査方向へ６０ｍｍ移動したエッジ検出始動位置Ｐ２（図５参照）まで動かして停止させる。
【００２８】
ユーザーにより、原稿４０がプラテンガラス１２上に置かれると、原稿の大きさにより第１反射センサ１３及び第２反射センサ１４からそれぞれの位置での原稿有無が検出され、中央演算処理装置１０１へ通知される。
【００２９】
図４は、Ａ４の原稿４０を載置したプラテンガラス１２を上方からみた配置図である。ここでのＡ４原稿４０は、ユーザーによって、その奥側角部が突き当て角部２９に突き当たる読み取り位置に載置されている。プラテンガラス１２の載置面は、長手方向（副走査方向に４３０ｍｍ、短手方向（主走査方向）に３０７ｍｍ確保され、Ａ３サイズより大きい載置面となっている。
【００３０】
ここにおいて、Ａ４原稿４０の長手方向は２９７ｍｍであり、２９０ｍｍの位置に配置された第１反射センサ１３上に原稿が届くため、第１反射センサ１３は原稿ありを中央演算処理装置１０１へ通知し、第２反射センサ１４は原稿なしを中央演算処理装置１０１に通知する。中央演算処理装置１０１は、これらの検出データを参照して、Ａ５〜Ａ３までの原稿サイズを区別し、更に後述するエッジ情報を得て、Ａ５〜Ａ４では横置き・縦置きの区別を判断する。
【００３１】
次にユーザーが読取動作を開始するため、原稿押えカバー３１を閉じると、閉センサスイッチ２５は、原稿押えカバー３１が閉じられたことを中央演算処理装置１０１に通知する。中央演算処理装置１０１は、原稿押えカバー３１が閉じられたことを検出すると、読取制御・入力信号処理部１０２に対して原稿エッジ検出動作開始を指示する。
【００３２】
読取制御・入力信号処理部１０２は、中央演算処理装置１０１から原稿エッジ検出動作開始の指示を受けると、ＣＩＳ２１の駆動信号を生成してレッドＬＥＤ２６、グリーンＬＥＤ２７、ブルーＬＥＤ２８を同時に点灯させると共にＣＩＳ２１の光電変換を駆動し、これによりセンサＩＣチップ２２から光電変換された画素毎の電圧値を取り出す。
【００３３】
読取制御・入力信号処理部１０２は、この光電変換をモータ１５の駆動と連動して行い、主走査方向１ラインの光電変換された電圧を取り出すと共にモータ１５を回転させ、ＣＩＳ２１を、図５に示すように、エッジ検出始動位置Ｐ２から（１／６００）ｄｐｉ分だけ待機位置側に移動させる読取動作を繰り返す。
【００３４】
ライン毎に取り出された電圧は、画素毎に読取制御・入力信号処理部１０２にて図示しないアナログ・デジタル変換器にてデジタル値に変換された後、先に取得したシェーディングデータを用いて正規化されてＲＡＭ１０６に格納され、エッジ検出用のフィルタ処理が行われる。
【００３５】
図６は、読み取られた画像を模式的に示す読取画像図で、原稿４０と原稿押圧板３２の押し当て面３２ａとの境界部の読み取り画像を部分的に拡大して示している。同図に示すように、この読み取り画像は、原稿４０と原稿押圧板３２との境界部を含み、境界部は原稿のエッジ画像を含んでいる。ここでは、副走査方向の距離１０ｍｍに相当する２３６ラインを画像データとして取り込む。
【００３６】
図７は、画像データとして取り込んだ２３６ラインの何れかのラインを例にして示すもので、主走査方向におけるＮ番目の注目画素を中心に（Ｎ−３）〜（Ｎ＋３）までの画素の情報を示している。尚、主走査方向における突き当て角部２９（図４）から他の角部に向かう方向であり、（Ｎ−３）→（Ｎ＋３）に向かう方向を、主走査方向の順方向とすると、フィルタ処理方向は、図６，７に示すように、主走査方向の逆方向に相当する。
【００３７】
フィルタ処理は、注目画素Ｎ、及び主走査方向における注目画素の左右の画素（Ｎ−１）及び（Ｎ＋１）のデジタル値をもとに、フィルタ処理方向のマイナス側、即ち原稿が載置されていない側の画素データから注目画素をずらしながら、畳み込み演算を行って処理される。図７に畳み込み演算処理のフィルタ例を示す。
【００３８】
ＲＡＭ１０６に格納された画像データは、フィルタ処理により、読み取られた画像データからエッジが抽出され、濃度変化の大きい所が強調された値に変換される。図８は、演算後の値の一例を示すグラフであり、横軸に、読み取られた画像の１ラインの画素位置をとり、縦軸に、濃度値とフィルタ処理後の値をとっている。但し、横軸の画素番号は、原稿４０のエッジ付近の画素に対して、指標として付したもので、１ライン上での絶対的な位置を示すものではない。
【００３９】
濃度値は、シェーディングの正規化を２５５で行ったので、２５５は白色を示し、０は黒色を示す値となる。前記したフィルタ処理方向に従って、原稿が載置されていない側の画素データからフィルタ処理されると、原稿押圧板３２とＡ４原稿４０との境界部においてＡ４原稿４０により発生する微少な陰が強調されてフィルタ処理後に濃度変化として取り出す事が可能となっている。
【００４０】
ここにおいて、特定の閾値でライン毎にフィルタ処理後の値を検査し、閾値以下の画素位置をＡ４原稿４０のエッジとして仮判定する。更に説明すると、エッジ判定は、フィルタ処理方向に従って、原稿が載置されていない側、即ち図１に示す画像読取装置１の手前側から行われ、最初の閾値以下の画素位置をＡ４原稿４０のエッジとして仮判定し、この仮判定をライン毎に行って、１２０ライン（５ｍｍ）継続して同じ画素位置がエッジとして仮判定された場合、その画素位置を主走査方向のエッジ位置として検出する。ここでは、閾値を−３０としてエッジ検出を行うものとする。
【００４１】
ここで、再生紙によるＡ４原稿を用いて、原稿エッジ検出を行った際の、１ライン上の原稿エッジ付近での濃度変化及びフィルタ処理後の値の変化を図８〜図１１のグラフに示す。図８は、レッドＬＥＤ２６、グリーンＬＥＤ２７、ブルーＬＥＤ２８を同時に点灯させて行った検出結果を示し、図９は、レッドＬＥＤ２６のみを点灯して行った検出結果を示し、図１０は、グリーンＬＥＤ２７のみを点灯して行った検出結果を示し、図１１は、ブルーＬＥＤ２８のみを点灯して行った検出結果を示す。
【００４２】
図８に示すように、レッドＬＥＤ２６、グリーンＬＥＤ２７、ブルーＬＥＤ２８を同時に点灯させて原稿エッジ検出を行った場合、フィルタ処理後の値において閾値−３０を超える値が得られず、エッジを検出することができない状態となっている。
図９に示すように、レッドＬＥＤ２６のみを点灯して原稿エッジ検出を行った場合、フィルタ処理後の値において閾値−３０を超える値が得られ、エッジを検出することが可能な状態となっている。
図１０に示すように、グリーンＬＥＤ２７のみを点灯して原稿エッジ検出を行った場合、フィルタ処理後の値において閾値−３０を超える値が得られず、エッジを検出することができない状態となっている。
図１１に示すように、ブルーＬＥＤ２８のみを点灯して原稿エッジ検出を行った場合、フィルタ処理後の値において閾値−３０を超える値が得られず、エッジを検出することができない状態となっている。
【００４３】
読取制御・入力信号処理部１０２は、上記した４種類の光で、それぞれ被操作方向で１０ｍｍに相当する２３６ラインの画像データをＲＡＭ１０６に格納し、フィルタ処理を行って閾値によるエッジ判定を行う。
【００４４】
ここでは、上記した図８〜図１１のグラフの説明から明らかなように、図９で説明したレッドＬＥＤ２６のみを点灯して原稿エッジ検出を行った場合のみ、エッジの仮判定が可能であり、１２０ライン（５ｍｍ）継続して同じ画素位置がエッジとして仮判定された段階で、エッジ位置を検出できる。
【００４５】
以上のように、ここでは、レッドＬＥＤ２６を点灯させて読み取った場合のみでエッジ検出が可能となったが、原稿４０の色・濃度と原稿押圧板３２との濃度差によって原稿のエッジの出来方が変化する為、種々の原稿に対しては、どの光源色がエッジ検出に適しているかは不明である。
【００４６】
例えば、図８〜図１１のグラフで説明した原稿エッジ検出時に、原稿４０とした再生紙などの黄色がかった紙媒体の場合、ブルーなどの補色光源を使って画像を取得し、原稿４０と原稿押圧板３２との濃度出力差を開くよりも、レッドの光源を使って原稿押圧板３２との出力差を狭めた方が、エッジ部が検知しやすくなる。
【００４７】
尚、閾値を変更することで、エッジ検出が可能となる場合があるが、閾値の変更は、原稿押圧板３２やプラテンガラス１２などの汚れをエッジとして誤検出しやすくなるため、適切な値とする必要がある。
【００４８】
ここでは、レッドＬＥＤ２６のみ点灯させて読み取った読取データで検出が成功したため、読取制御・入力信号処理部１０２は、検出したエッジの主走査の位置情報（ここでは、２１０ｍｍ位置）を中央演算処理装置１０１に通知すると共に読取動作を停止し、ＣＩＳ２１を基準白色板１８（図２）直下の待機位置に戻す。中央演算処理装置１０１は、通知された主走査方向のエッジ位置情報２１０ｍｍと、反射センサＡ４０２の状態の組み合わせから、原稿サイズをＡ４横置きと確定させる。
【００４９】
次に、ユーザーが、上位装置２００から原稿画像の読取開始を指示すると、中央演算処理装置１０１は、読取制御・入力信号処理部１０２にＡ４横置きの画像読取を指示し、読取制御・入力信号処理部１０２は、ＣＩＳ２１に対する読取の駆動を開始すると共に、モータ１５を回転させ、ＣＩＳ２１を副走査方向に移動させながら、主走査方向幅２１０ｍｍ、副走査方向長さ２９７ｍｍサイズの画像を取得し、シェーディング処理を行って、ＲＡＭ１０６に画像データを格納する。
【００５０】
中央演算処理装置１０１は、ＲＡＭ１０６への画像データの格納が終了すると、上位装置２００に画像データを転送して原稿画像の読取動作を完了する。
【００５１】
尚、本実施の形態では、検出の成否にかかわらず、所定種類の光源色を切り替えて各画像の取得を行った場合について示したが、光源色を切り替える際にエッジ検出が成功した段階で光源色の切り替えを中断し、原稿サイズを特定するように構成することも可能である。
【００５２】
また本実施の形態では、３色すべて発光させた場合、と各色を単色で発光させてエッジ検出を実行した例を示したが、他に２色を組み合わせて発光させてエッジ検出を実行させてもよいなど、種々の態様を取り得るものである。
【００５３】
以上のように、本実施の形態の画像読取装置１によれば、複数色の光によって取得した画像からエッジ部の検出が可能なため、原稿の色や濃度によらず原稿の端部の検出精度を向上させることができる。
【産業上の利用可能性】
【００５４】
尚、前記した実施の形態では、本願発明を画像読取装置に採用した例を示したが、これに限定されるものではなく、他にもＭＦＰ（Ｍｕｌｔｉ  Ｆｕｎｃｔｉｏｎ  Ｐｒｉｎｔｅｒ）やファクシミリ、複写機等にも利用できる。
【符号の説明】
【００５５】
１  画像読取装置、  １１  フラットベッドユニット、  １２  プラテンガラス、  １３  第１反射センサ、  １４  第２反射センサ、  １５  モータ、  １６  ベルト、  １７  ガイドシャフト、  １８  基準白色板、  ２１  ＣＩＳ、  ２２  センサＩＣチップ、  ２３  導光体、  ２４  ロッドレンズアレイ、  ２５  閉センサスイッチ、  ２６  レッドＬＥＤ、  ２７  グリーンＬＥＤ、  ２８  ブルーＬＥＤ、  ２９  突き当て角部、  ３１  原稿押えカバー、  ３２  原稿押圧板、  ３２ａ  押し当て面、  ４０  原稿、  １００  制御ブロック、  １０１  中央演算処理装置、  １０２  読取制御・入力信号処理部、  １０３  画像処理部、  １０４  外部入出力インターフェイス、  １０５  ＲＯＭ、  １０６  ＲＡＭ、  ２００  上位装置。
【図１】
2019024168.tif 000003
【図２】
2019024168.tif 000004
【図３】
2019024168.tif 000005
【図４】
2019024168.tif 000006
【図５】
2019024168.tif 000007
【図６】
2019024168.tif 000008
【図７】
2019024168.tif 000009
【図８】
2019024168.tif 000010
【図９】
2019024168.tif 000011
【図１０】
2019024168.tif 000012
【図１１】
2019024168.tif 000013